(57)【要約】      （修正有）【課題】支柱の位置の変更やスライド機能により、片麻痺の患者だけでなく、スポーツによるリハビリなどにも使用できる短下肢装具を提供する。【解決手段】足底乗せ部と頸骨・腓骨周辺固定部よりなる短下肢装具において、足底乗せ部と頸骨・腓骨周辺固定部を連結する一又は二以上よりなる支柱にスライド機能を付加して短下肢装具を構成する。【選択図】図１
0003157760.tif 000002
【実用新案登録請求の範囲】
【請求項１】
足底乗せ部と頸骨・腓骨周辺固定部よりなる短下肢装具において、足底乗せ部と頸骨・腓骨周辺固定部を連結する一又は二以上よりなる支柱がスライド機能を有することを特徴とする短下肢装具。
〔名称の説明〕
0003157760.tif 000010
【考案の詳細な説明】
【技術分野】
【０００１】本考案は支柱部分がスライド可能である短下肢装具に関するものである。
【背景技術】
【０００２】短下肢装具は片麻痺などで片足が曲がらずつま先立ちになった人が正常な歩行を実現させるための装具である。基本的にはオーダーメイドで作られるため、石膏で患者の足の型を採り作られる。【０００３】短下肢装具の種類は、非常に多くある。両くるぶし側に支柱がある両側支柱型、片側支柱型、下腿後面に支柱のある板バネ型、下腿骨骨折の治療に用いられる下腿フラクチャーブレース、プラスチック支柱面が下腿後面にあるシューホン型など。素材によって自然な歩行を再現する考慮もされている。支柱にたわみのあるピークを用いる事により、自然な歩行を再現させるもの。足首の部分に油圧を用いて自然な動きを再現させるもの等が挙げられる。【０００４】しかしながら短下肢装具はオーダーメイドであるため、大量生産はされない。
一人一人にあった装具が一つだけしか作られない。ニーズも少ないため非常に価格が高く、デザイン面が弱いのが問題点である。
加えて、一度形状を決めてしまうと、少し体型にフィットしなかった時の調整が利かないという不都合も有している。
【考案の概要】
【考案が解決しようとする課題】コストやニーズによって実現が不可能な問題を、デザインと新たな構造で解決する。
【課題を解決するための手段】支柱部分をスライドさせ、その人にあった位置に変更できる構造を有することにより解決される。
スライド構造は、長さを任意に調節できるものであれば良く、特に限定されるものではない。多段のスライド部を有する構造であっても構わない。
【考案の効果】その人にあった位置に変更できるという事は、一つの装具で装着者の幅を増やせるという事である。これにより片麻痺の患者だけでなく、リハビリなどにも用いる事ができ、ニーズが増やせる。
【図面の簡単な説明】
【図１】支柱スライドの説明図
0003157760.tif 000003
【図２】支柱スライドの説明図
0003157760.tif 000004
【考案を実施するための形態】
支柱スライド機能は下腿、両くるぶし側などに用い、片手での操作も可能である。
【実施例】図１は実際に支柱がスライドするという機能を表現した一例である。
図２は、スライド部を縮めた時の状態を表したものである。
図１と図２より、個人の使い易い位置に調整が可能となる。
【産業上の利用可能性】個人の足の長さにあった状態で使用が可能な短下肢装具を提供できる。加えて、スライドストッパー等を付属させれば、カッターナイフ、扇風機の首のスライド機能のように片手でスイッチを押しながら支柱の位置が調整できるものとなる。
【符号の説明】１  両側支柱型
0003157760.tif 000005
２  片側支柱型
0003157760.tif 000006
３  板バネ型
0003157760.tif 000007
５  下腿フラクチャーブレース
0003157760.tif 000008
６  シューホン型
0003157760.tif 000009
【図１】
0003157760.tif 000011
【図２】
0003157760.tif 000012
【手続補正書】
【提出日】平成21年12月15日(2009.12.15)
【手続補正１】
【補正対象書類名】明細書
【補正対象項目名】全文
【補正方法】変更
【補正の内容】
【考案の詳細な説明】
【技術分野】
【０００１】本考案は支柱部分がスライド可能である短下肢装具に関するものである。
【背景技術】
【０００２】短下肢装具は片麻痺などで片足が曲がらずつま先立ちになった人が正常な歩行を実現させるための装具である。基本的にはオーダーメイドで作られるため、石膏で患者の足の型を採り作られる。【０００３】短下肢装具の種類は、非常に多くある。両くるぶし側に支柱がある両側支柱型、片側支柱型、下腿後面に支柱のある板バネ型、下腿骨骨折の治療に用いられる下腿フラクチャーブレース、プラスチック支柱面が下腿後面にあるシューホン型など。素材によって自然な歩行を再現する考慮もされている。支柱にたわみのあるピークを用いる事により、自然な歩行を再現させるもの。足首の部分に油圧を用いて自然な動きを再現させるもの等が挙げられる。【０００４】しかしながら短下肢装具はオーダーメイドであるため、大量生産はされない。一人一人にあった装具が一つだけしか作られない。ニーズも少ないため非常に価格が高く、デザイン面が弱いのが問題点である。
加えて、一度形状を決めてしまうと、少し体型にフィットしなかった時の調整が利かないという不都合も有している。
【考案の概要】
【考案が解決しようとする課題】コストやニーズによって実現が不可能な問題を、デザインと新たな構造で解決する。
【課題を解決するための手段】支柱部分をスライドさせ、その人にあった位置に変更できる構造を有することにより解決される。
スライド構造は、長さを任意に調節できるものであれば良く、特に限定されるものではない。多段のスライド部を有する構造であっても構わない。
【考案の効果】その人にあった位置に変更できるという事は、一つの装具で装着者の幅を増やせるという事である。これにより片麻痺の患者だけでなく、リハビリなどにも用いる事ができ、ニーズが増やせる。
【図面の簡単な説明】
【図１】支柱スライドの説明図
【図２】支柱スライドの説明図
【図３】短下肢装具の例図１
【図４】短下肢装具の例図２
【図５】短下肢装具の例図３
【図６】短下肢装具の例図４
【図７】短下肢装具の例図５
【考案を実施するための形態】
支柱スライド機能は下腿、両くるぶし側などに用い、片手での操作も可能である。
【実施例】図１は実際に支柱がスライドするという機能を表現した一例である。
図２は、スライド部を縮めた時の状態を表したものである。
図１と図２より、個人の使い易い位置に調整が可能となる。
【産業上の利用可能性】個人の足の長さにあった状態で使用が可能な短下肢装具を提供できる。加えて、スライドストッパー等を付属させれば、カッターナイフ、扇風機の首のスライド機能のように片手でスイッチを押しながら支柱の位置が調整できるものとなる。
【符号の説明】１  両側支柱型
２  片側支柱型
３  板バネ型
４  下腿フラクチャーブレース
５  シューホン型
【手続補正２】
【補正対象書類名】実用新案登録請求の範囲
【補正対象項目名】全文
【補正方法】変更
【補正の内容】
【実用新案登録請求の範囲】
【請求項１】
足底乗せ部と頸骨・腓骨周辺固定部よりなる短下肢装具において、足底乗せ部と頸骨・腓骨周辺固定部を連結する一又は二以上よりなる支柱がスライド機能を有することを特徴とする短下肢装具。
【手続補正３】
【補正対象書類名】図面
【補正対象項目名】全図
【補正方法】変更
【補正の内容】
【図１】
0003157760.tif 000013
【図２】
0003157760.tif 000014
【図３】
0003157760.tif 000015
【図４】
0003157760.tif 000016
【図５】
0003157760.tif 000017
【図６】
0003157760.tif 000018
【図７】
0003157760.tif 000019